(57)【要約】【課題】指写りを伴う画像の撮影を防止することが可能な撮像装置を提供する。【解決手段】デジタルカメラ１は、時系列的に取得される複数のライブビュー画像をＣＣＤ撮像素子１１等を用いて取得する。判定部３０は、複数のライブビュー画像に基づいて、撮影者の手指が撮影対象領域内に含まれているか否かを判定する。この判定は、複数のライブビュー画像における所定の低輝度領域の位置の経時変化に基づいて行われる。移動領域と非移動低輝度領域との両方が存在する場合には、非移動低輝度領域は手指領域であるとみなされる。あるいは、この判定は、フォーカスレンズの位置を移動させつつ時系列的に取得される複数のＡＦ用画像内の所定領域のコントラストの経時変化に基づいて行われてもよい。レンズ位置が近側端に近づく際に所定領域のコントラスト値が増加し続ける場合、当該所定領域は手指領域であるとみなされる。【選択図】　　　　図３
2004040712.tif 000002
【特許請求の範囲】
【請求項１】
撮像装置であって、
光電変換を用いて被写体の画像を取得する画像取得手段と、
前記画像取得手段により時系列的に取得される複数の画像に基づいて、撮影者の手指が撮影対象領域内に含まれているか否かを判定する判定手段と、
を備えることを特徴とする撮像装置。
【請求項２】
請求項１に記載の撮像装置において、
前記判定手段により前記撮影者の手指が前記撮影対象領域内に含まれていると判定されたときに警告を行う警告手段、
をさらに備えることを特徴とする撮像装置。
【請求項３】
請求項１または請求項２に記載の撮像装置において、
前記判定手段により前記撮影者の手指が前記撮影対象領域内に含まれていると判定されたときに、前記撮影者の手指が含まれる領域を削除した記録用画像を生成し所定の記録媒体に記録する画像処理手段、
をさらに備えることを特徴とする撮像装置。
【請求項４】
請求項１ないし請求項３のいずれかに記載の撮像装置において、
前記判定手段は、前記複数の画像における低輝度領域の位置の変化に基づいて、前記撮影者の手指が前記撮影対象領域内に含まれているか否かを判定することを特徴とする撮像装置。
【請求項５】
請求項１ないし請求項３のいずれかに記載の撮像装置において、
前記複数の画像は、それぞれ、前記撮像装置のフォーカスレンズの位置を移動させつつ時系列的に取得される画像であり、
前記判定手段は、前記複数の画像の所定領域におけるコントラストの変化に基づいて、前記撮影者の手指が前記撮影対象領域内に含まれているか否かを判定することを特徴とする撮像装置。
【発明の詳細な説明】
【０００１】
【発明の属する技術分野】
本発明は、デジタルカメラなどの撮像装置に関する。
【０００２】
【従来の技術】
近年、携帯性向上の要請等から、デジタルカメラなどの撮像装置の小型化が進んでいる。たとえば、このような小型の撮像装置としては、手のひらに収まる程度のサイズのデジタルカメラが存在する。また、このような小型の撮像装置として、撮影レンズ部が突出しない形状を有するタイプ（フラットタイプ）のデジタルカメラなどが存在する。
【０００３】
【発明が解決しようとする課題】
しかしながら、このような小型のデジタルカメラは、そのサイズあるいはその形状に起因して、撮影時に撮影者の手指が画像内に写ってしまう現象、いわゆる「指写り（ないし指掛かり）」が発生しやすいという特質を有している。この「指写り」は、特に、光学ファインダーを使用してフレーミングを行いつつ撮影するときに生じやすい。これは、光学ファインダーへの入射光の光軸とＣＣＤセンサへの入射光の光軸とが一致しないことに起因して、光学ファインダーによるフレーミング像は、ＣＣＤセンサによる実際の撮影画像とその視野が異なるためである。また、デジタルカメラの背面ＬＣＤ（液晶ディスプレイ）を見ながら撮影する場合には、このような「指写り」を或る程度防止することが可能ではあるが、急いで撮影しているときなどにおいては指写りの発生を見逃して撮影してしまうこともある。
【０００４】
一般に、デジタルカメラにおいては上述したような「指写り」を伴う画像が撮影されることがあるという問題があり、特にデジタルカメラの小型化の進展に伴いこの問題が顕著になっているという事情がある。
【０００５】
そこで、本発明は前記問題点に鑑み、「指写り」を伴う画像の撮影を防止することが可能な撮像装置を提供することを目的とする。
【０００６】
なお、本発明に直接的な関連性を有する技術ではないが、特開２００１−２１１３１５号公報に記載された技術が存在する。これは、既に撮影された１枚の画像に基づいて画像処理技術を用いて指写り領域を抽出する技術であり、「指写り」を伴う画像の撮影を防止するものではない。
【０００７】
【課題を解決するための手段】
上記目的を達成するため、請求項１の発明は、撮像装置であって、光電変換を用いて被写体の画像を取得する画像取得手段と、前記画像取得手段により時系列的に取得される複数の画像に基づいて、撮影者の手指が撮影対象領域内に含まれているか否かを判定する判定手段と、を備えることを特徴とする。
【０００８】
請求項２の発明は、請求項１の発明に係る撮像装置において、前記判定手段により前記撮影者の手指が前記撮影対象領域内に含まれていると判定されたときに警告を行う警告手段、をさらに備えることを特徴とする。
【０００９】
請求項３の発明は、請求項１または請求項２の発明に係る撮像装置において、前記判定手段により前記撮影者の手指が前記撮影対象領域内に含まれていると判定されたときに、前記撮影者の手指が含まれる領域を削除した記録用画像を生成し所定の記録媒体に記録する画像処理手段、をさらに備えることを特徴とする。
【００１０】
請求項４の発明は、請求項１ないし請求項３のいずれかの発明に係る撮像装置において、前記判定手段は、前記複数の画像における低輝度領域の位置の変化に基づいて、前記撮影者の手指が前記撮影対象領域内に含まれているか否かを判定することを特徴とする。
【００１１】
請求項５の発明は、請求項１ないし請求項３のいずれかの発明に係る撮像装置において、前記複数の画像は、それぞれ、前記撮像装置のフォーカスレンズの位置を移動させつつ時系列的に取得される画像であり、前記判定手段は、前記複数の画像の所定領域におけるコントラストの変化に基づいて、前記撮影者の手指が前記撮影対象領域内に含まれているか否かを判定することを特徴とする。
【００１２】
【発明の実施の形態】
以下、本発明の実施形態を図面に基づいて説明する。
【００１３】
＜Ａ．第１実施形態＞
＜Ａ１．構成＞
図１はこの発明に係るデジタルカメラ（撮像装置）１を示す外観斜視図であり、図２はデジタルカメラ１の背面図である。
【００１４】
図１および図２に示すように、デジタルカメラ１は、レンズ２、シャッタボタン３、電源ボタン４、ファインダ対物窓５、ファインダ接眼窓６、ＬＣＤ７、フラッシュ８、各種のボタン７１，７２、スライドスイッチ７３、スピーカ７４を備える。
【００１５】
レンズ２は、フォーカス機能およびズーム機能を備えたレンズである。また、ズーム機能を実現するための移動機構は、カメラ本体９内に格納されているため、ズーム機能使用時においてもレンズ２がカメラ本体９から突出しない。
【００１６】
シャッタボタン（レリーズボタン）３はデジタルカメラ１の上面に設けられている。このシャッタボタン３は操作者による半押し状態（Ｓ１）と全押し状態（Ｓ２）とを区別して検出可能な２段階押し込みスイッチとなっている。後述するように、半押し状態Ｓ１のときに指写りの有無の判定動作が開始され、全押し状態Ｓ２のときに記録用画像を撮影するための本撮影動作が開始される。
【００１７】
ファインダ対物窓５はデジタルカメラ１の前面側（被写体側）に設けられ、ファインダ接眼窓６はデジタルカメラ１の背面側（撮影者側）に設けられる。撮影者は、背面側のファインダ接眼窓６を覗くことにより、ファインダ対物窓５からの被写体の光学像を見ることができる。
【００１８】
ＬＣＤ７は、デジタルカメラ１の背面側に設けられている。このＬＣＤ７を用いて、本撮影前のプレビュー用のライブビュー画像の表示（ライブビュー表示とも称する）、撮影直後の画像確認用のアフタービュー画像の表示（アフタービュー表示）、及びメモリカード５９（記録媒体）に記録されている記録画像の再生表示等が行われる。
【００１９】
また、各種ボタン７１，７２、スライドスイッチ７３は、各種のメニュー操作等に用いられる操作部として機能する。さらに、スピーカ７４は、各種の音声情報を出力する出力部として機能する。
【００２０】
図３はデジタルカメラ１の機能ブロック図である。
【００２１】
図３に示すように、デジタルカメラ１は、撮像機能部１０、オートフォーカス（以下、ＡＦとも称する）制御部２０、判定部３０、画像処理部４０、全体制御部５０、画像メモリ５５、メモリカード５９、操作部６０等を備えている。
【００２２】
撮像機能部１０は、撮像用レンズ２、ＣＣＤ撮像素子１１、信号処理回路１２、Ａ／Ｄ変換器１３、画像補間部１７、ＷＢ（ホワイトバランス）回路１４、γ補正回路１５、色補正部１６を有している。
【００２３】
ＣＣＤ撮像素子１１は、光電変換により、被写体の光学像を電気的な信号（画像信号に変換する。
【００２４】
信号処理回路１２は、信号処理回路１２は、ＣＣＤ撮像素子１１から得られる画像信号（アナログ信号）に対して所定のアナログ信号処理を施す。信号処理回路１２は相関二重サンプリング回路（ＣＤＳ）とオートゲインコントロール回路（ＡＧＣ）とを有しており、相関二重サンプリング回路により画像信号のノイズ低減処理を行い、オートゲインコントロール回路でゲインを調整することにより画像信号のレベル調整を行う。
【００２５】
Ａ／Ｄ変換器１３は、アナログの画像信号を所定の階調数を有するデジタル信号に変換し、画素補間部１７は、ＣＣＤ撮像素子１１により得られた市松模様のＲ、Ｇ、Ｂの信号を補間する。ＷＢ（ホワイトバランス）回路１４は、Ｒ，Ｇ，Ｂの各色成分のレベル変換を行う。γ補正回路１５は、画素データの階調を補正する回路であり、色補正部１６は、γ補正回路１５から入力される画像データに対し、ユーザから設定された色補正に関するパラメータに基づいて色補正を行うとともに、ＲＧＢ色空間で表現されたカラー情報をＹＣｒＣｂ色空間で表現されたカラー情報に変換する。この表色系変換により、全画素について輝度成分値Ｙが得られることになる。
【００２６】
また、画像メモリ５５は、ＣＣＤ撮像素子１１で取得され上記の画像処理が施された画像データを、一時的に記憶するメモリである。画像メモリ５５は、少なくとも１フレーム分の記憶容量を有している。また、操作者によって記録指示が与えられた場合には、画像メモリ５５からメモリカード５９に対して画像データが転送され、画像データの記録保存が行われる。
【００２７】
メモリカード５９は、可搬性の記録媒体であり、複数の本撮影画像を記録するのに十分な程度の記憶容量を有する。メモリカード５９は、デジタルカメラ１の側部に設けられた蓋７５（図１参照）を開けた状態において、その蓋７５の内側に設けられたカードスロットに対して挿抜可能である。なお、ここでは本撮影画像が、挿抜自在な可搬性の記録媒体に記録される場合を例示するが、これに限定されず、デジタルカメラ１の内部に固定された記録媒体に本撮影画像が記録されるようにしてもよい。
【００２８】
操作部６０は、上述したボタン７１，７２、スライドスイッチ７３等を含む操作部であり、操作者（ユーザ）がデジタルカメラ１の設定を操作する部材である。
【００２９】
さらに、ＡＦ制御部２０は、山登り方式（コントラスト方式）の自動合焦制御を行うための評価値演算動作およびレンズ２の駆動制御等を行う。
【００３０】
判定部３０は、フレーミング動作により撮影対象とされる領域（以下、「撮影対象領域」ないし「フレーミング領域」とも称する）内に撮影者の手指が含まれているか否かを、被写体に関し時系列的に取得される複数の画像に基づいて、判定する機能を有している。すなわち、判定部３０は「指写り」（ないし「指掛かり」とも称する）の有無を判定する機能を有している。判定部３０の動作等については後に詳述する。
【００３１】
また、画像処理部４０は、撮影者の手指が撮影対象領域内に含まれていると判定されたときに、撮影者の手指が含まれる領域を削除した記録用画像を生成しメモリカード５９に記録する機能を有している。
【００３２】
さらに、全体制御部５０は内部にＲＡＭ５０ａ及びＲＯＭ５０ｂを備えたマイクロコンピュータによって構成され、マイクロコンピュータが所定のプログラムを実行することにより、上記各部を統括的に制御する制御手段として機能する。
【００３３】
以上の各部は、小型のカメラ本体９に設けられている。デジタルカメラ１は、手のひらの中に収まる程度の大きさであり、非常にコンパクトに構成されている。
【００３４】
また、撮影者は、片手または両手でこのカメラ本体９を支えつつ、被写体の構図を決定するフレーミングを行う。このとき、撮影者は、ファインダ接眼窓６を覗きながらフレーミングを行っても良く、あるいは、ＬＣＤ７を見ながらフレーミングを行っても良い。いずれの場合であっても、デジタルカメラ１が小型であること、あるいは、そのレンズ２が撮影時にも突出しないタイプ（フラットタイプ）であることなどの事情によって、撮影者の手指が撮影対象領域内に含まれた状態となること、すなわち「指写り」が発生する可能性がある。
【００３５】
＜Ａ２．原理＞
つぎに、図４〜図８を参照しながら、この実施形態における「指写り」の検出原理について説明する。
【００３６】
この実施形態においては、複数のライブビュー画像を参照しつつ、手ぶれ、あるいは、フレーミングの変化に伴って、変化しない部分が存在することを検出することで、「指写り」を検出する。
【００３７】
図４（ａ）および図５（ａ）は、指写りが無い場合における複数の時系列画像（ここではライブビュー画像）のうちの２枚の画像Ｇ１，Ｇ２を示す図である。図４（ａ）は所定の時刻Ｔ１における画像Ｇ１であり、図５（ａ）は時刻Ｔ１の後の所定の時刻Ｔ２（＞Ｔ１）における画像Ｇ２である。また、図６（ａ）および図７（ａ）は、指写りが有る場合における複数の時系列画像のうちの２枚の画像Ｇ３，Ｇ４を示す図である。図６（ａ）は所定の時刻Ｔ１における画像Ｇ３であり、図７（ａ）は時刻Ｔ１の後の所定の時刻Ｔ２（＞Ｔ１）における画像Ｇ４である。なお、図６（ａ）および図７（ａ）においては、画面の左側に撮影者の手指ＦＧが写っている状況が示されている。
【００３８】
また、図４（ｂ）は、画像Ｇ１内において所定のｙ座標を有する画素（ｘ，ｙ）の輝度ＢＬのｘ方向における変化曲線を示す図である。言い換えれば、画像Ｇ１内の１本の水平ラインＬにおける輝度の変化曲線を示す図である。なお、図４（ｂ）において、横軸は各画素のｘ座標であり、縦軸は各画素の輝度ＢＬである。同様に、図５（ｂ）は、画像Ｇ２内において同じｙ座標を有する画素（ｘ，ｙ）の輝度ＢＬの変化曲線を示す図である。
【００３９】
図４（ｂ）に示すように、ここでは、主被写体である樹木ＴＲは周囲の被写体に比べて低輝度であり、画像Ｇ１内の樹木に対応する区間Ｘ１〜Ｘ２は、各画素の画素値が所定の閾値ＴＨ１よりも小さな領域（以下、「低輝度領域」とも称する）になっている。同様に、図５（ｂ）に示すように、画像Ｇ２内の樹木ＴＲに対応する区間Ｘ１１〜Ｘ１２は、低輝度領域となっている。
【００４０】
図４（ａ）（ｂ）と図５（ａ）（ｂ）とを比較すると判るように、画像Ｇ２は、手ぶれ、あるいはフレーミングの変化に伴って、主被写体である樹木ＴＲ等の位置が画像Ｇ１に比べてずれている。ここでは、画像Ｇ２内の樹木ＴＲに対応する区間Ｘ１１〜Ｘ１２は、画像Ｇ１内の樹木に対応する区間Ｘ１〜Ｘ２に比べて右に移動している。言い換えれば、Ｘ１１＞Ｘ１、Ｘ１２＞Ｘ２となっている。また、樹木ＴＲの幅は変化しないので、低輝度領域の幅も移動前後で変化しない。すなわち、Ｘ２−Ｘ１＝Ｘ１２−Ｘ１１、である。
【００４１】
今度は、指写りがある場合の画像Ｇ３，Ｇ４について考察する。
【００４２】
図６（ｂ）および図７（ｂ）を参照する。図６（ｂ）は、図４（ｂ）と同様に、移動前の時刻Ｔ１における画像Ｇ３内において所定のｙ座標を有する画素（ｘ，ｙ）の輝度ＢＬの変化曲線を示す図である。また、図７（ｂ）は、図５（ｂ）と同様に、移動後の時刻Ｔ２における画像Ｇ４内において同じｙ座標を有する画素（ｘ，ｙ）の輝度ＢＬの変化曲線を示す図である。
【００４３】
図６（ｂ）、図７（ｂ）に示すように、画像Ｇ３，Ｇ４においては、樹木ＴＲに対応する低輝度領域が図４（ｂ），図５（ｂ）と同様に存在している。そして、図７（ａ）に示す画像Ｇ４は、手ぶれ、あるいはフレーミングの変化に伴って、主被写体である樹木ＴＲ等の位置が画像Ｇ３に比べてずれている。ここでは、画像Ｇ４内の樹木に対応する区間Ｘ１１〜Ｘ１２は、画像Ｇ３内の樹木に対応する区間Ｘ１〜Ｘ２に比べて右に移動している様子が示されている。詳細には、Ｘ１１＞Ｘ１、Ｘ１２＞Ｘ２となっている。また、樹木の幅は変化しないので、低輝度領域の幅も移動前後で変化しない。すなわち、Ｘ２−Ｘ１＝Ｘ１２−Ｘ１１、である。
【００４４】
また、画像Ｇ３，Ｇ４においては、樹木に対応する低輝度領域が存在することに加えて、撮影者の手指ＦＧに対応する低輝度領域もが存在している。
【００４５】
撮影者の手指ＦＧに対応する画像領域は周囲の被写体に比べて低輝度であるため、撮影者の手指ＦＧに対応する区間Ｘ０〜Ｘ３および区間Ｘ０〜Ｘ１３は、低輝度領域になっている。
【００４６】
ここにおいて、移動前の画像Ｇ３における手指領域（画像内において手指ＦＧに対応する領域を意味する。以下同様。）の右側端のｘ座標Ｘ３は、移動後の画像Ｇ４における手指領域の右側端のｘ座標Ｘ１３と同一の値である。画像内において左端側に存在する手指は、手ぶれやフレーミングの変化によっても画像内での位置が変化しないからである。
【００４７】
したがって、移動の前後でその位置が変化する領域（ここでは低輝度領域）が存在する一方で、その位置が変化しない低輝度領域も存在するという条件を満たす場合に、指写りが発生していると判定することができる。なお、ここではその位置が変化する領域としても低輝度領域を用いているが、これに限定されない。たとえば、高輝度領域を用いて、移動の前後でその位置が変化する領域が存在するか否かを判定するようにしてもよい。
【００４８】
また、ここでは、１本の水平ラインＬについて各画素の輝度値を用いていたが、これに限定されず、たとえば、複数のラインについて各画素の輝度値を用いても良い。あるいは、所定のエリア内の各画素の輝度値を用いても良い。
【００４９】
さらに、移動しない低輝度領域が存在するか否かは、画像の中央部以外の周辺部についてのみ考慮するようにしてもよい。指写りは、通常、画面の周辺部ＢＰにおいて発生することが多いからである。
【００５０】
たとえば、その位置が変化しない低輝度領域が、図８に示すような画像Ｇ５の左端側の周辺部ＢＰ１または右端側の周辺部ＢＰ２に対して重複部分を有することを条件の１つとして、その低輝度領域を手指領域として判定するようにしてもよい。これによれば、その位置が変化しない低輝度領域が中央部ＣＰにのみ存在する場合にはその低輝度領域は手指領域でないと判定されるので、誤判定を低減させて、より正確に指写りの発生の有無を判定することができる。
【００５１】
なお、ここでは、異なる時刻に取得された２枚の画像Ｇ３，Ｇ４において低輝度領域の右端のＸ座標値Ｘ３，Ｘ１３が同一であることを条件に「指写り」を判定しているが、完全に同一でなくともよく、同一とみなせる程度であればよい。たとえば、当該Ｘ座標値であるＸ３，Ｘ１３の差の絶対値が所定の閾値以下であることを条件の１つとして、指写りを判定するようにしてもよい。
【００５２】
＜Ａ３．動作＞
つぎに、図９および図１０などを参照しながら、上記のような指写りの検出動作等についてさらに詳細に説明する。以下では、撮影者がＬＣＤ７に表示された複数のプレビュー用画像を見ながら撮影対象領域を決定する状況（すなわちフレーミングを行う状況）を想定している。なお、図９、図１０は、この動作の流れを示すフローチャートである。ここでは、この動作が所定周期でメインルーチンから呼び出されるサブルーチン処理である場合を想定している。
【００５３】
まず、ステップＳＰ１において、操作者によってシャッタボタン３が半押し状態Ｓ１にされた場合にのみ、次のステップＳＰ２に進む。シャッタボタン３が半押し状態Ｓ１になっていない場合には、この処理を終了する。なお、このサブルーチン処理は所定時間ごとに繰り返し呼び出されて実行されるので、シャッタボタン３が半押し状態Ｓ１にされたかどうかが所定周期でチェックされ、シャッタボタン３が半押し状態Ｓ１にされた時点で次のステップＳＰ２に進むことになる。
【００５４】
ステップＳＰ２においては、ライブビュー画像（若しくはＡＦ用の画像）が取得される。そして、判定部３０は、取得したライブビュー画像（若しくはＡＦ用の画像）から１本の水平ラインＬ分の画像データを抽出し、当該画像データに基づいて輝度データを生成する（ステップＳＰ３）。この輝度データは、各位置（ｘ，ｙ）の画素の画素値に基づいて算出される。
【００５５】
そして、判定部３０は、生成された輝度データに基づいて平均輝度Ｂａを算出（ステップＳＰ４）した後、その平均輝度Ｂａを所定の閾値ＴＨ２と比較する（ステップＳＰ５）。平均輝度Ｂａが閾値ＴＨ２よりも大きい場合には次のステップＳＰ６に進み、そうでない場合（平均輝度Ｂａが閾値ＴＨ２未満である場合）にはステップＳＰ６〜ステップＳＰ１１の処理を行わずにステップＳＰ１２に進む。これにより、たとえば暗闇での撮影画像などの、画像全体の輝度が低い画像に対しては、指写り判定処理を行わないことで、指写りに関する誤判定を回避することが可能になる。
【００５６】
ステップＳＰ６においては、判定部３０は、メモリ上に保管しているデータ（保管データとも称する）が既に存在するか否かを判断して、保管データが既に存在するときにはステップＳＰ８に進み、保管データが未だ存在しないときにはステップＳＰ７に進む。ステップＳＰ７においてはステップＳＰ３で抜き出した１本の水平ラインＬの輝度データを保管データとして画像メモリ５５に保存した後、ステップＳＰ１に戻る。この保管データは、圧縮処理を施さない状態で保存される。
【００５７】
ステップＳＰ８において、判定部３０は、ステップＳＰ３で抜き出した１本の水平ラインＬの輝度データと保管データとを比較し、その比較結果に応じてステップＳＰ９での分岐処理を行う。
【００５８】
上述したように、判定部３０は、移動した低輝度領域（移動低輝度領域）と移動しない低輝度領域（非移動低輝度領域）との両方がいずれも存在する場合には、指写りが発生していると判定する。そして、指写りが発生していないと判定された場合にはそのままステップＳＰ１１に進み、指写りが発生していると判定された場合にはステップＳＰ１０に進んで、警告動作が行われる。警告動作の例としては、具体的には、ＬＣＤ７において「指写り注意！」などの文字あるいは所定の図形等を警告表示として表示するもの、または、スピーカからの警告音あるいは音声などを警告用音声出力として出力するものなどが挙げられる。
【００５９】
その後、ステップＳＰ１１においては、抜き出した１本の水平ラインＬの輝度データで、保管データを上書きする。既に保管されていた保管データを上書き更新することによって、画像メモリ５５を有効に活用することができる。特に、この保管データは、圧縮処理を施さない状態で保存されるので、上書き更新することにより節約されるメモリ容量は比較的大きな値になる。
【００６０】
そして、ステップＳＰ１２において、シャッタボタン３が全押し状態Ｓ２にされたか否かが判定される。シャッタボタン３が全押し状態Ｓ２になるまでステップＳＰ１〜ステップＳＰ１１の処理が繰り返される一方で、シャッタボタン３が全押し状態Ｓ２になるとステップＳＰ１３（図１０）に進む。
【００６１】
ステップＳＰ１３，ＳＰ１４においては、最新のタイミングで露光された画像がＣＣＤから読み出され、撮影画像として画像メモリに一時的に記憶される。具体的には、ステップＳＰ１３において、最新のタイミングの露光に応じた画像信号がＣＣＤから読み出され、当該画像信号に所定の画像処理が施されて画像データが生成される。その後、ステップＳＰ１４において、その画像データは撮影画像として内蔵の画像メモリ５５に保存される。
【００６２】
次のステップＳＰ１５以降においては、上記の警告にも関わらず指写りを伴う画像を撮影してしまった場合に、記録画像から指写り部分を除去する処理などが行われる。以下、この処理手順について説明する。
【００６３】
まず、ステップＳＰ１５において、ステップＳＰ８，ＳＰ９における比較検討結果に応じて分岐処理を行う。「指写り」無しと判断されたときには、ステップＳＰ１６の処理を行うことなく、そのままステップＳＰ１７に進む。一方、指写り有りと判断されたときには、ステップＳＰ１６に進み、指写り領域を削除した後にステップＳＰ１７に進む。
【００６４】
図１１は、指写り検出後の指写り領域の削除について説明する図である。
【００６５】
ステップＳＰ１６では、ステップＳＰ１３，ＳＰ１４で取得した撮影画像の中から手指領域を識別して抽出し、元の撮影画像から手指領域ＦＰを含む領域ＬＰを削除した画像Ｇ６（図１１）を生成する。より具体的には、画像処理部４０は、１本の水平ラインＬにおける線分領域ＳＬとしての低輝度領域を基準にして、当該線分領域から連続し２次元的に広がる低輝度領域を手指領域ＦＰとして抽出すればよい。そして、この手指領域ＦＰを含む矩形領域ＬＰを元の画像から削除することによって、画像Ｇ６が生成される。
【００６６】
ステップＳＰ１７では、生成された画像Ｇ６が記録用画像としてメモリカード５９に保存される。なお、指写りが存在しない場合には、ステップＳＰ１３，ＳＰ１４で取得された元の撮影画像がそのまま記録用画像として保存される。
【００６７】
以上のように、被写体に関し時系列的に取得される複数の画像（ライブビュー画像、若しくはＡＦ用の画像）に基づいて、撮影対象領域内に撮影者の手指が含まれているか否かが判定される。より詳細には、各画像における所定の低輝度領域の位置の経時変化（時間的変化）に基づいて、撮影者の手指が撮影対象領域内に含まれているか否かが判定される。したがって、「指写り」を伴う画像の撮影を防止することが可能になる。
【００６８】
また、警告動作を行うことによって、操作者に指写りの発生が報知されるため、操作者は「指写り」が発生する状況であることを認識しやすくなる。したがって、「指写り」を伴う画像の撮影をより確実に防止することが可能になる。さらには、撮影者の手指が含まれる領域を削除した記録用画像を生成し所定のメモリカード５９（記録媒体）に記録することによれば、「指写り」を伴う画像が記録用画像（撮影画像）として所定の記録媒体に記録されることを回避できる。したがって、「指写り」を伴う画像の撮影を防止することが可能である。また、撮影画像の記録時点で手指領域が予め削除されるので、撮影後に撮影画像に対してデジタルカメラあるいは外部のパソコン等を用いた画像編集処理を施して手指領域を削除する必要がない。すなわち、このような画像編集処理の手間を省くことができる。
【００６９】
さらに、より確実に「指写り」を検出するため、低輝度領域の色相情報をも用いて、その低輝度領域が手指領域であるか否かを判定するようにしてもよい。より具体的には、判定部３０は、ステップＳＰ９の判定処理において、上述の条件に加えて、移動しない低輝度領域内の全画素に対する肌色画素数の割合が所定の値を超えているという条件をも満たすときに、その低輝度領域が手指領域であると判定すればよい。また、各画素が肌色画素であるか否かは、各画素の表色系変換後の色空間表現（Ｙ，Ｃｒ，Ｃｂ）において、各画素の色相等を表す成分（Ｃｒ，Ｃｂ）がＣｒ−Ｃｂ平面内の肌色に相当する領域（肌色相当領域）に存在するか否かに応じて判定すればよい。低輝度領域内における肌色画素数の検出動作は、ステップＳＰ９あるいはそれ以前の所定の時点で、判定部３０等によって行われればよい。
【００７０】
＜Ｂ．第２実施形態＞
＜Ｂ１．原理＞
この第２実施形態は、第１実施形態の変形例である。以下では、第１実施形態との相違点を中心に説明する。
【００７１】
この第２実施形態においては、レンズ２（より正確にはレンズ２内のフォーカシングレンズ）の位置を移動させつつ時系列的に取得される複数の画像を用いて、撮影者の手指が画像内に含まれているか否かを判定する場合、より詳細には、所定領域におけるコントラストの経時変化に基づいて、撮影者の手指が画像内に含まれているか否かを判定する場合について説明する。
【００７２】
図１２は、複数の合焦評価領域ＦＲ０〜ＦＲ８（ＦＲｉ；ｉ＝０，．．．，８）を示す図である。各合焦評価領域ＦＲｉは、ＣＣＤ撮像素子１１により取得された画像Ｇ１０内に設けられる。この第２実施形態においては、ＡＦ用評価値として各合焦評価領域ＦＲｉにおけるコントラスト値Ｃを求め、このＡＦ用評価値としてのコントラスト値を指写りの判定にも利用する。
【００７３】
図１３は、ＡＦ制御部２０のコントラスト演算部２２の詳細構成を示す図である。
【００７４】
コントラスト演算部２２は、注目画素と、その注目画素の近隣に位置し、かつ注目画素と一定の位置関係を有する画素との差分絶対値を求める差分演算部２２１、及び、その差分演算結果を累積加算していく累積加算部２２２、を備えて構成される。差分演算部２２１は合焦評価領域ＦＲｉに含まれる全ての画素が注目画素として選択されるまで演算を行い、累積加算部２２２は合焦評価領域ＦＲｉに含まれる各画素が注目画素として選択されたときに求められる差分絶対値を順次累積加算していき、最終的に合焦評価領域ＦＲｉについてのコントラスト値Ｃを求める。
【００７５】
なお、コントラスト演算部２２においてコントラスト値Ｃを求める際には、Ｒ，Ｇ，Ｂの各色成分の画素データに基づいて演算を行うようにしてもよいし、また、Ｒ，Ｇ，Ｂの各色成分の画素データから一旦輝度データを生成し、その輝度データに基づいて演算を行うようにしてもよい。
【００７６】
また、ここでは説明の簡略化のため、複数の合焦評価領域のうち、中央部の合焦評価領域ＦＲ０と周辺部の合焦評価領域ＦＲ１とを用いて、「指写り」の有無を判定する動作について説明する。
【００７７】
まず、「指写り」が存在しない状態を検討する。
【００７８】
図１４は、中央の主被写体が合焦状態に到達しておらず、いわゆる「ピンぼけ」状態となっている画像Ｇ１１を示す図である。一方、図１５は、中央の主被写体が合焦状態に到達しており、いわゆるピントが合った状態の画像Ｇ１２を示す図である。
【００７９】
図１６は、複数の画像における中央部の合焦評価領域ＦＲ０でのコントラスト値Ｃの変化曲線を示す図である。横軸は、光軸方向におけるレンズ２（より正確にはレンズ２内のフォーカシングレンズ）の位置であり、縦軸は、各レンズ位置に対応する画像のコントラスト値Ｃである。
【００８０】
図１６に示すように、合焦評価領域ＦＲ０においては、レンズ位置ｚ１２で取得された画像Ｇ１２のコントラスト値は、レンズ位置ｚ１１で取得された画像Ｇ１１のコントラスト値よりも大きな値となっている。合焦評価領域ＦＲ０にはエッジ成分を多く含むような被写体が存在するため、レンズ位置に応じてコントラスト値が変化する。ここでは、コントラスト値はレンズ位置ｚ１２（合焦位置）でピーク値を有している。
【００８１】
一方、図１７は、複数の画像における周辺部の合焦評価領域ＦＲ１のコントラスト値Ｃの変化曲線を示す図である。合焦評価領域ＦＲ１においては、合焦評価領域ＦＲ１にはエッジ成分を多く含むような被写体が存在しないため、画像Ｇ１２のコントラスト値は、画像Ｇ１１のコントラスト値とほぼ同一値となっている。すなわち、周辺部の合焦評価領域ＦＲ１におけるコントラスト値は、フォーカシングレンズのレンズ位置を変化させてもほとんど変化しない。
【００８２】
つぎに、「指写り」が存在する状態を検討する。
【００８３】
図１８〜図２０は、それぞれ、「指写り」が存在する状態を示す画像Ｇ１３，Ｇ１４，Ｇ１５を示す図である。画像Ｇ１３，Ｇ１４，Ｇ１５の順に、各画像の取得時のレンズ位置が遠側から近側に変化している。
【００８４】
図１８は、中央の主被写体が合焦状態に到達しておらず、いわゆる「ピンぼけ」状態となっている画像Ｇ１３を示す図である。一方、図１９は、中央の主被写体が合焦状態に到達しており、いわゆるピントが合った状態の画像Ｇ１４を示す図である。また、図２０は、レンズ位置が近側に移動しすぎたため、中央の主被写体が再び「ピンぼけ」状態となっている画像Ｇ１５を示す図である。
【００８５】
さらに、図２１は、中央部の合焦評価領域ＦＲ０でのコントラスト値Ｃの変化曲線を示す図であり、図２２は周辺部の合焦評価領域ＦＲ１のコントラスト値Ｃの変化曲線を示す図である。
【００８６】
図２１に示すように、合焦評価領域ＦＲ０におけるコントラスト値Ｃは、画像Ｇ１４の取得時のレンズ位置ｚが位置ｚ１４のときに最大値となる。合焦評価領域ＦＲ０にはエッジ成分を多く含むような被写体が存在するため、レンズ位置に応じてコントラスト値が変化し、コントラスト値はレンズ位置ｚ１４（合焦位置）でピーク値を有している。
【００８７】
これに対して、図２２に示すように、合焦評価領域ＦＲ１におけるコントラスト値Ｃは、レンズ位置ｚが遠側から近側へと移動するにつれて（より具体的には、位置ｚ１３，ｚ１４，ｚ１５へと移動するにつれて）増加する一方である。そして、画像Ｇ１５の取得時のレンズ位置ｚ１５のときに、そのコントラスト値Ｃは最大値をとることになるが、極大値としてのピーク値は存在しない。これは、合焦評価領域ＦＲ１の被写体が、レンズ位置ｚ１５に対応する被写体位置よりも近い位置に存在することを意味する。すなわち、撮影者の手指がレンズ２に極めて近い位置に存在することになる。
【００８８】
このように、周辺部の合焦評価領域ＦＲ１〜ＦＲ８のいずれか（たとえばＦＲ１）において、遠側から近側へとレンズ位置が変化するにつれてコントラスト値Ｃが増大し続け極大値としてのピーク値が存在しないときには、「指写り」が存在する旨を判定することができる。一方、周辺部の合焦評価領域ＦＲ１〜ＦＲ８（たとえばＦＲ１）において、縁側から近側へとレンズ位置が変化するにつれて、コントラスト値Ｃが極大値としてのピーク値を有するとき等には、「指写り」が存在しない旨を判定することができる。
【００８９】
また、フォーカシングレンズはその駆動範囲の全域にわたって移動させる必要はない。たとえば、レンズの駆動範囲のうち所定のレンズ位置から近側にのみ移動させ、さらに近側にレンズ位置が移動するにつれてコントラスト値Ｃが増大し続けるときには、「指写り」が存在する旨を判定することができる。これに対して、より近側にレンズ位置が移動するにつれてコントラスト値Ｃが増加し続けないとき（具体的には、コントラスト値Ｃが減少し続ける、あるいはほぼ同一値をとり続けるとき、または、コントラスト値Ｃのピーク値が検出されるとき）には、「指写り」が存在しない旨を判定することができる。
【００９０】
＜Ｂ２．動作＞
図２３は、この第２実施形態の動作を示す図である。なお、ステップＳＰ３０より後においては、図１０に示すステップＳＰ１３〜ＳＰ１７と同一の動作が行われる。
【００９１】
以下では、複数の合焦評価領域のうち、中央部の合焦評価領域ＦＲ０を用いて合焦位置を求めるオートフォーカス動作を行い、且つ、周辺部の合焦評価領域ＦＲ１〜ＦＲ８を用いて「指写り」の有無を判定する場合について説明する。
【００９２】
ここでは、まず、撮影者がＬＣＤ７に表示された複数のプレビュー用画像を見ながら撮影対象領域を決定する動作（すなわちフレーミング動作）を行っているものとする。そして、シャッタボタン３が半押し状態Ｓ１にされると、オートフォーカス制御（自動合焦制御とも称する）が開始され、シャッタボタン３が全押し状態Ｓ２にされると、記録用画像を撮影するための本撮影動作が開始される。
【００９３】
まず、ステップＳＰ２１において、操作者によってシャッタボタン３が半押し状態Ｓ１にされた場合にのみ、次のステップＳＰ２２に進み、オートフォーカス制御動作が開始される。一方、シャッタボタン３が半押し状態Ｓ１になっていない場合には、この処理を終了する。なお、このサブルーチン処理は所定時間ごとに繰り返し呼び出されて実行されるので、シャッタボタン３が半押し状態Ｓ１にされたかどうかが所定周期でチェックされ、シャッタボタン３が半押し状態Ｓ１にされた時点で次のステップＳＰ２２に進むことになる。
【００９４】
ステップＳＰ２２においては、ＡＦ評価用の画像が取得される。ただし、シャッタボタン３が半押し状態Ｓ１になった直後だけは、レンズを初期位置としての遠側端に移動させた後にＡＦ評価用画像の取得動作が行われる。その後、微小量ずつ近側にレンズを駆動していくことによって、レンズ駆動域の全域をスキャンするためである。
【００９５】
その後、オートフォーカス制御部２０は、取得された画像内の各合焦評価領域ＦＲｉのコントラスト値Ｃを求め（ステップＳＰ２３）、フォーカシングレンズを所定の微小量だけ近側に駆動する（ステップＳＰ２４）。そして、ステップ２５において、レンズ位置が近側端に到達したと判定されるまで、ステップＳＰ２１，ＳＰ２２，ＳＰ２３，ＳＰ２４の各動作を繰り返す。これにより、各合焦評価領域ＦＲｉにこえるコントラストの変化曲線を得ることができる。
【００９６】
ステップＳＰ２６においては、中央部の合焦評価領域ＦＲ０のコントラスト値の変化傾向に基づいて、被写体が合焦状態となるレンズ位置（合焦位置）が算出される。具体的には、オートフォーカス制御部２０は、コントラスト値の変化曲線におけるピーク値に対応するレンズ位置（たとえば、位置ｚ１４（図２１））を合焦位置として算出する。そして、この合焦位置にレンズ２を移動する。
【００９７】
ステップＳＰ２７においては、判定部３０は、周辺部の合焦評価領域ＦＲ１〜ＦＲ８のそれぞれについて、「指写り」の存否について判定する。判定部３０は、合焦評価領域ＦＲ１〜ＦＲ８のそれぞれに対して、上述したような原理に基づく判定動作を行う。
【００９８】
次のステップＳＰ２８の分岐処理においては、合焦評価領域ＦＲ１〜ＦＲ８のうちのいずれかに「指写り」が存在する旨が判定されるとステップＳＰ２９に進み、「指写り」が発生している旨の警告が発せられる。一方、合焦評価領域ＦＲ１〜ＦＲ８のうちのいずれに基づいても「指写り」が発生していない旨が判定されると、警告は発せられず、ステップＳＰ３０に進む。
【００９９】
ステップＳＰ３０においては、シャッタボタン３が全押し状態Ｓ２にされたか否かが判定される。シャッタボタン３が全押し状態Ｓ２になるまでステップＳＰ２１〜ステップＳＰ２９の処理が繰り返される一方で、シャッタボタン３が全押し状態Ｓ２になるとステップＳＰ１３（図１０）に進む。以降の処理は、第１実施形態と同様であるので、説明を省略する。
【０１００】
以上のように、この第２実施形態によれば、フォーカスレンズの位置を移動させつつ時系列的に取得される複数の画像の所定領域（合焦評価領域ＦＲ１〜ＦＲ８）におけるコントラストの経時変化に基づいて、撮影者の手指が撮影対象領域内に含まれているか否かが判定されるので、「指写り」を伴う画像の撮影を防止することが可能である。
【０１０１】
なお、より確実に「指写り」を検出するため、合焦評価領域ＦＲ１〜ＦＲ８の色相情報をも用いて、各合焦評価領域ＦＲ１〜ＦＲ８が手指領域であるか否かを判定するようにしてもよい。より具体的には、判定部３０は、ステップＳＰ２７の判定処理において、上述の条件に加えて、各合焦評価領域ＦＲ１〜ＦＲ８内の全画素に対する肌色画素数の割合が所定の値を超えているという条件をも満たすときに、合焦評価領域ＦＲ１〜ＦＲ８が手指領域であると判定すればよい。
【０１０２】
また、上記第２実施形態では、複数の合焦評価領域のうち、中央部の合焦評価領域ＦＲ０を用いて合焦位置を求め、且つ、周辺部の合焦評価領域ＦＲ１〜ＦＲ８を用いて「指写り」の有無を判定する場合について説明したがこれに限定されない。
【０１０３】
たとえば、中央部の合焦評価領域ＦＲ０をも用いて「指写り」の有無を判定するようにしてもよい。ただし、「指写り」は周辺部で発生しやすいという特質を考慮すると、周辺部の合焦評価領域ＦＲ１〜ＦＲ８のみを用いて「指写り」の有無を判定することが好ましい。これによれば、中央部の合焦評価領域ＦＲ０における誤検出等に基づく「指写り」の有無の誤判定を回避することができる。あるいは、周辺部の合焦評価領域ＦＲ１〜ＦＲ８のうち一部の合焦評価領域（たとえば、ＦＲ１，ＦＲ５，ＦＲ７）のみを用いて「指写り」の有無を判定するようにしてもよい。また、合焦位置を求めるに際しては、中央部の合焦評価領域ＦＲ０だけでなく、他の合焦評価領域ＦＲ１〜ＦＲ８を用いるようにしても良い。
【０１０４】
＜Ｃ．第３実施形態＞
この第３実施形態は、第１実施形態の変形例である。この第３実施形態においては、ライブビュー表示におけるフレーミング画像（撮影対象領域を示す画像）が「指写り」状態であると判定された後の動作が、第１実施形態と相違する。この第３実施形態においては、判定後の動作として、「レリーズロック」を行う技術を例示する。以下では、第１実施形態との相違点を中心に説明する。
【０１０５】
図２４および図２５は、この第３実施形態における指写りの検出動作およびその後の動作等を示すフローチャートである。
【０１０６】
図２４において、ステップＳＰ１〜ＳＰ９までは、第１実施形態と同様の動作である。その後、ステップＳＰ９において、判定部３０は、非移動低輝度領域および移動低輝度領域の両領域の存在を確認すると、「指写り」状態であるとみなして、指写りフラグをオンにする（ステップＳＰ４１）。一方、両領域の存在が確認されないときには、「指写り」状態でないとみなして、指写りフラグをオフにする（ステップＳＰ４２）。なお、「指写りフラグ」は、全体制御部５０内に設けられたＲＡＭ５０ａなどの所定の記憶領域において記憶される。
【０１０７】
ステップＳＰ４３は、ステップＳＰ１１と同じ動作であり、ステップＳＰ３で抜き出しておいた１本の水平ラインＬの輝度データで、保管データを上書きする。
【０１０８】
そして、ステップＳＰ４４において、シャッタボタン３が全押し状態Ｓ２にされたか否かが判定される。シャッタボタン３が全押し状態Ｓ２になっていないときにはステップＳＰ１〜ＳＰ９，ＳＰ４１〜ＳＰ４３の処理が繰り返される一方で、シャッタボタン３が全押し状態Ｓ２になるとステップＳＰ５１（図２５）に進む。
【０１０９】
ステップＳＰ５１においては、判定部３０は、指写りフラグがオンであるか否かを確認し、オンのときにはステップＳＰ５２に進み、オフのときにはステップＳＰ５３に進む。
【０１１０】
ステップＳＰ５３においては、シャッタボタン３の押下に応じて最新の画像が撮影される。具体的には、最新のタイミングの露光に応じた画像信号がＣＣＤから読み出され、当該画像信号に所定の画像処理が施されて画像データが生成される。その後、その画像データは撮影画像（本撮影画像）としてメモリカード５９に保存され（ステップＳＰ５４）、撮影動作が終了する。
【０１１１】
一方、ステップＳＰ５２においては、ステップＳＰ１０と同様の警告を発するとともに、シャッタボタン（レリーズボタン）３を押し込むことができないようにシャッタボタン３をロック状態にする。すなわち、レリーズロックを行う。これにより、「指写り」を伴う画像の撮影をより確実に防止することが可能である。
【０１１２】
なお、「レリーズロック」は、機械的機構を用いて行われるものであっても良いが、シャッタボタンが全押し状態Ｓ２にまで押し込まれても撮影動作を開始しないというソフトウエア的なレリーズロックであっても良い。また、このレリーズロックは、全体制御部５０の制御下において行われる。
【０１１３】
＜Ｄ．第４実施形態＞
この第４実施形態は、第１実施形態および第３実施形態の変形例である。この第４実施形態においては、ライブビュー表示におけるフレーミング画像が「指写り」状態であると判定された後の動作が、第１実施形態および第３実施形態と相違する。この第４実施形態においては、判定後の動作として、アフタービュー表示の時間を調整し、指写りを伴う画像を消去しやすくする技術を例示する。以下では、第３実施形態との相違点を中心に説明する。
【０１１４】
図２６は、この第４実施形態の動作を示す図である。ステップＳＰ６１以前の動作は、図２４に示すステップＳＰ１〜ＳＰ９，ＳＰ４１〜ＳＰ４４と同一の動作であるので、ここでは図示を省略する。
【０１１５】
図２６に示すように、シャッタボタン３が全押し状態Ｓ２にまで押下されると、ステップＳＰ６１に進む。
【０１１６】
ステップＳＰ６１においては、シャッタボタン３の押下に応じて最新の画像の本撮影動作が行われる。具体的には、最新のタイミングの露光に応じた画像信号がＣＣＤから読み出され、当該画像信号に所定の画像処理が施されて画像データが生成される。その後、その画像データは撮影画像として内蔵の画像メモリ５５に保存される（ステップＳＰ６２）。
【０１１７】
次のステップＳＰ６３において、判定部３０は、指写りフラグがオンであるか否かを確認し、オンのときにはステップＳＰ６４に進み、オフのときにはステップＳＰ６５に進む。そして、ステップＳＰ６４，ＳＰ６５においては、指写りフラグの値に応じて、アフタービュー表示の表示期間を変更する処理が行われる。なお、この変更処理は、全体制御部５０の制御下において行われる。
【０１１８】
具体的には、ステップＳＰ６５では、「指写り」状態でないとみなして、通常のアフタービュー表示の表示期間ＴＭ１にわたって撮影画像のＬＣＤ７による表示を開始する。一方、ステップＳＰ６４では、「指写り」状態であるとみなして、所定の期間ＴＭ２（＞ＴＭ１）にわたって撮影画像のＬＣＤ７による表示を開始する。ただし、期間ＴＭ１は通常のアフタービューの表示期間として予め定められた期間であり、期間ＴＭ２は、通常のアフタービューの表示期間ＴＭ１よりも長い期間として予め定められた期間である。たとえば、期間ＴＭ１は５秒程度、期間ＴＭ２は１０秒程度とすることができる。
【０１１９】
操作者は、アフタービュー表示の開始から所定の期間（ＴＭ１ないしＴＭ２）においてＬＣＤ７に表示された撮影画像を目で確認し、その撮影画像をそのまま保存するか削除（破棄）するかを決定する。操作者は、「指写り」の発生を確認した場合には、操作部６０を用いて削除指示をデジタルカメラ１に対して与えることができる。
【０１２０】
ステップＳＰ６６においては、期間ＴＭ１あるいは期間ＴＭ２における削除指示の有無に応じた分岐処理が行われる。削除指示が当該期間内に無かった場合には、ステップＳＰ６８に進み、撮影された画像データは画像メモリ５５上からメモリカード５９に転送されて保存され、撮影処理が終了する。一方、削除指示が当該期間内に有った場合にはステップＳＰ６７に進み、ステップＳＰ６１で撮影された画像データは画像メモリ５５上から削除され、メモリカード５９に保存されない。
【０１２１】
ここにおいて、アフタービュー表示の表示期間が短かい場合には、操作者が保存すべきか削除するべきかの判断に迷っているうちにアフタービュー表示が終了してしまうことが起こり得る。アフタービュー表示の終了後においても、メモリカード５９に記録された画像を削除することは可能ではあるが、アフタービュー表示時に削除しておく方が操作性の点で優れている。このような事情の下、この実施形態においては、デジタルカメラ１が「指写り」の発生を検出していた場合のアフタービューの表示期間ＴＭ２は、そうでない場合の表示期間ＴＭ１に比べて長くなっているので、操作者はアフタービュー時点における削除動作を行い易いという利点を得ることができる。すなわち、より長い時間を画像の削除を決心するために確保することができるので、指写りを伴う画像をより確実に削除することが可能である。したがって、「指写り」を伴う画像が撮影画像として記録されることをより確実に防止することができる。言い換えれば、「指写り」を伴う画像の撮影をより確実に防止することが可能である。
【０１２２】
尚、この第４実施形態において、アフタービュー表示されている画像に重量して「指写り発生」のような警告表示を行うようにしてもよい。
【０１２３】
＜Ｅ．その他＞
以上、この発明の実施の形態について説明したが、この発明は上記説明した内容のものに限定されるものではない。
【０１２４】
たとえば、上記第１実施形態においては、撮影者の手指が画像内に写っているか否かを、移動しない低輝度領域の有無等に基づいて判断していたが、これに限定されない。たとえば、２枚以上の画像を比較して被写体の動きベクトルを検知することによって、移動領域および非移動領域の存在を検出するようにしてもよい。
【０１２５】
また、上記第２実施形態においては、シャッタボタンが半押し状態とされたタイミングでオートフォーカス制御を行う場合を例示したが、オートフォーカス制御を行うタイミングはそれに限定されるものではない。たとえば、ライブビュー画像の表示時において常にオートフォーカス制御を行うようにしてもよい。そして、このオートフォーカス制御動作とともに、上記の「指写り」の判定動作を行うようにしてもよい。また、ライブビュー画像の表示時に常にオートフォーカス制御を行う場合には、現在のレンズ位置から近側端までの間でレンズを移動することが好ましい。これによれば、レンズの駆動域の全域にわたってレンズを移動する場合に比べて、より迅速にオートフォーカス制御動作および指写り判定動作を行うことができるからである。
【０１２６】
また、上記説明においては、第１実施形態の判定後の動作の変形例として、レリーズロック動作（第３実施形態）あるいはアフタービュー表示の表示時間の設定動作（第４実施形態）を適用する場合を示したが、これに限定されない。たとえば、第２実施形態の判定後の動作として、第３実施形態のレリーズロック動作を用いても良い。より具体的には、ステップＳＰ３０（図２３）の後に、ステップＳＰ５１（図２５）以降の動作を行うようにしても良い。あるいは、第２実施形態の判定後の動作として、第４実施形態のアフタービュー表示の表示時間の設定動作を用いても良い。より具体的には、ステップＳＰ３０（図２３）の後に、ステップＳＰ６１（図２５）以降の動作を行うようにしても良い。
【０１２７】
なお、上述した具体的実施形態には以下の構成を有する発明が含まれている。
【０１２８】
（１）請求項４に記載の撮像装置において、
前記判定手段は、前記低輝度領域の色相情報にも基づいて、前記撮影者の手指が前記撮影対象領域内に含まれているか否かを判定することを特徴とする撮像装置。この（１）に記載の発明によれば、より正確に指写りの有無を判定することができる。
【０１２９】
（２）請求項５に記載の撮像装置において、
前記判定手段は、前記所定領域の色相情報にも基づいて、前記撮影者の手指が前記撮影対象領域内に含まれているか否かを判定することを特徴とする撮像装置。この（２）に記載の発明によれば、より正確に指写りの有無を判定することができる。
【０１３０】
（３）請求項１に記載の撮像装置において、
前記判定手段により前記撮影者の手指が前記撮影対象領域内に含まれていると判定されたときにレリーズロックを行う手段、
をさらに備えることを特徴とする撮像装置。この（３）に記載の発明によれば、指写りを伴う画像の撮影をより確実に防止することが可能である。
【０１３１】
（４）請求項１に記載の撮像装置において、
前記判定手段により前記撮影者の手指が前記撮影対象領域内に含まれていると判定されたときには、前記撮影者の手指が前記撮影対象領域内に含まれていないと判定されたときに比べて、アフタービュー表示の表示期間をより大きな値に変更する手段、
をさらに備えることを特徴とする撮像装置。この（４）に記載の発明によれば、指写りを伴う画像の撮影をより確実に防止することが可能である。
【０１３２】
【発明の効果】
以上のように、請求項１ないし請求項５に記載の発明によれば、画像取得手段により時系列的に取得される複数の画像に基づいて、撮影者の手指が撮影対象領域内に含まれているか否かが判定されるので、「指写り」を伴う画像の撮影を防止することが可能である。
【０１３３】
特に、請求項２に記載の発明によれば、撮影者の手指が撮影対象領域内に含まれていると判定されたときに警告が行われるので、操作者は「指写り」が発生する状況であることを認識しやすくなる。したがって、より確実に「指写り」を伴う画像の撮影を防止することが可能である。
【０１３４】
また、請求項３に記載の発明によれば、撮影者の手指が撮影対象領域内に含まれていると判定されたときに、撮影者の手指が含まれる領域を削除した記録用画像を生成し所定の記録媒体に記録するので、「指写り」を伴う画像が記録用画像として所定の記録媒体に記録されることを回避できる。
【図面の簡単な説明】
【図１】この発明に係るデジタルカメラを示す外観斜視図である。
【図２】デジタルカメラの背面図である。
【図３】デジタルカメラの機能ブロック図である。
【図４】指写りが無い場合の時系列画像Ｇ１とそのｘ方向における輝度変化とを示す図である。
【図５】指写りが無い場合の別の時系列画像Ｇ２とそのｘ方向における輝度変化とを示す図である。
【図６】指写りが有る場合の時系列画像Ｇ３とそのｘ方向における輝度変化とを示す図である。
【図７】指写りが有る場合の別の時系列画像Ｇ４とそのｘ方向における輝度変化とを示す図である。
【図８】左端側の周辺部ＢＰ１または右端側の周辺部ＢＰ２を示す図である。
【図９】第１実施形態に係る指写りの検出動作等を示すフローチャートである。
【図１０】第１実施形態に係る指写りの検出動作等を示すフローチャートである。
【図１１】指写り領域の削除について説明する図である。
【図１２】複数の合焦評価領域ＦＲｉを示す図である。
【図１３】ＡＦ制御部のコントラスト演算部の詳細構成を示す図である。
【図１４】中央の主被写体が合焦状態に到達してない状態の画像Ｇ１１を示す図である。
【図１５】中央の主被写体が合焦状態に到達した状態の画像Ｇ１２を示す図である。
【図１６】中央部の合焦評価領域ＦＲ０でのコントラスト値Ｃの変化曲線を示す図である。
【図１７】周辺部の合焦評価領域ＦＲ１でのコントラスト値Ｃの変化曲線を示す図である。
【図１８】中央の主被写体が合焦状態に到達していない状態の画像Ｇ１３（指写り有りの場合）を示す図である。
【図１９】中央の主被写体が合焦状態に到達した状態の画像Ｇ１４（指写り有りの場合）を示す図である。
【図２０】レンズ位置が近側端に到達したときの画像Ｇ１５（指写り有りの場合）を示す図である。
【図２１】中央部の合焦評価領域ＦＲ０でのコントラスト値Ｃの変化曲線を示す図である。
【図２２】周辺部の合焦評価領域ＦＲ１でのコントラスト値Ｃの変化曲線（指写り有りの場合）を示す図である。
【図２３】第２実施形態に係る指写りの検出動作等を示すフローチャートである。
【図２４】第３実施形態に係る指写りの検出動作等を示すフローチャートである。
【図２５】第３実施形態に係る指写りの検出動作等を示すフローチャートである。
【図２６】第４実施形態に係る指写りの検出動作等を示すフローチャートである。
【符号の説明】
１　デジタルカメラ
２　レンズ
３　シャッタボタン
４　電源ボタン
５　ファインダ対物窓
６　ファインダ接眼窓
７　ＬＣＤ
７４　スピーカ
７５　蓋
ＢＬ　輝度
Ｃ　コントラスト値
ＦＧ　手指
ＦＲｉ　合焦評価領域
ＴＲ　樹木
ｚ　レンズ位置
【図１】
2004040712.tif 000003
【図２】
2004040712.tif 000004
【図３】
2004040712.tif 000005
【図４】
2004040712.tif 000006
【図５】
2004040712.tif 000007
【図６】
2004040712.tif 000008
【図７】
2004040712.tif 000009
【図８】
2004040712.tif 000010
【図９】
2004040712.tif 000011
【図１０】
2004040712.tif 000012
【図１１】
2004040712.tif 000013
【図１２】
2004040712.tif 000014
【図１３】
2004040712.tif 000015
【図１４】
2004040712.tif 000016
【図１５】
2004040712.tif 000017
【図１６】
2004040712.tif 000018
【図１７】
2004040712.tif 000019
【図１８】
2004040712.tif 000020
【図１９】
2004040712.tif 000021
【図２０】
2004040712.tif 000022
【図２１】
2004040712.tif 000023
【図２２】
2004040712.tif 000024
【図２３】
2004040712.tif 000025
【図２４】
2004040712.tif 000026
【図２５】
2004040712.tif 000027
【図２６】
2004040712.tif 000028